(57)【要約】【課題】  分離線を介して複数の領域に分離可能に構成され、表面に印刷が施されるプリント用分離シートにおいて、分離線と直交する方向に引張力が加わった場合にその引張力によって分離してしまう可能性を低減する。【解決手段】  ２つの紙片２が分離線４にて分離可能に連接し、分離線４と直交する方向に移送され、表面に印刷が施されるプリント用分離シート１において、分離線４には、分離線４上に互いに隣接するように複数の切り込み３が形成されている。この切り込み３は、辺部３ａ，３ｂの２辺からなるくの字状であって、２辺のうち一方の辺部３ａが分離線４と平行となり、他方の辺部３ｂが分離線４に対して斜めの方向に延長している。【選択図】図１
2007083588.tif 000002
【特許請求の範囲】
【請求項１】
所定方向に引張力が加わり、少なくとも前記所定方向と直交する方向に延長する分離線が設けられて該分離線を用いて分離可能に構成され、表面に印刷が施されるプリント用分離シートであって、
前記所定方向と直交する方向に設けられた分離線上にて互いに隣接して設けられた複数の切り込みを有し、該複数の切り込みはそれぞれ、少なくとも１つの辺が当該分離線とは平行とならない方向に延長した複数の辺から構成されているプリント用分離シート。
【発明の詳細な説明】
【技術分野】
【０００１】
本発明は、分離線を介して複数の領域に分離可能に構成され、表面に印刷が施されるプリント用分離シートに関し、特に、分離線と直交方向への引張力に対する耐久機能に関する。
【背景技術】
【０００２】
従来より、配送物に貼付される配送伝票のように、複数の領域に分離可能とする分離シートにおいては、分離領域の境界線にミシン目が形成され、このミシン目によって複数の領域に分離可能な構成となっているものが多い。
【０００３】
図７は、一般的な配送伝票の構成例を示す図である。
【０００４】
本構成例は図７に示すように、配送物に貼付される貼付票２０２ａと、配送物が配送先に配送された後に回収される配達票２０２ｂとがミシン目２０３を介して分離可能に連接して構成されている。貼付票２０２ａは、配送情報を印刷するための配送情報印刷領域２１４ａが表面に設けられ、裏面には、配送物に貼付するための粘着剤（不図示）が塗布されている。また、配達票２０２ｂには、配送情報を印刷するための配送情報印刷領域２１４ｂと配送物の受領印を押下するための押印領域２１５とが設けられている。
【０００５】
上記のように構成された配送伝票２０１は、貼付票２０２ａと配達票２０２ｂとがミシン目２０３を介して連接した状態で、貼付票２０２ａの裏面に塗布された粘着剤によって配送物に貼付され、その後、配送物が配送先に届けられ、押印領域２１５に受領印が押下された後、ミシン目２０３が破断されて配達票２０２ｂが回収されることになる。
【０００６】
このように、１枚のシートにミシン目を形成しておき、このミシン目を用いて１枚のシートを複数の領域に分離可能とする技術が用いられている（例えば、特許文献１，２参照。）。
【特許文献１】特開２００３−１５４７７１号公報
【特許文献２】特開２００３−４８３８５号公報
【発明の開示】
【発明が解決しようとする課題】
【０００７】
上述したような配送伝票においては、配送物に貼付される前に、表面に配送情報を印刷する必要があるが、その際、配送伝票がプリンタ内を移送されながら配送情報が印刷されることになる。プリンタにおいては、移送ローラ等によって配送伝票を引っ張りながら移送するため、配送伝票には移送方向に引張力が加わることになる。ここで、上述した配送伝票が、ミシン目と直交する方向に移送された場合について説明する。
【０００８】
図８は、図７に示した配送伝票２０１がミシン目２０３と直交する方向に移送された際のミシン目２０３の状態を説明するための図であり、（ａ）は移送による引張力が加わっていない場合のミシン目２０３の状態を示す図、（ｂ）は移送による引張力が加わった場合のミシン目２０３の状態を示す図である。
【０００９】
図７に示したミシン目２０３は、図８（ａ）に示すように、配送伝票２０１の移送方向と直交する方向にカット部２０３ａとタイ部２０３ｂとが連続するように形成されており、カット部２０３ａは、カット部２０３ａとタイ部２０３ｂとが連続する方向、すなわち、配送伝票２０１の移送方向と直交する方向に延長した形状となっている。
【００１０】
そのため、配送伝票２０１を移送することにより、配送伝票２０１の移送方向に引張力が加わると、図８（ｂ）に示すように、カット部２０３ａが配送伝票２０１の移送方向に伸び、それにより、その両端が裂けてカット部２０３ａどうしが繋がり、配送伝票２０１がミシン目２０３にて破断してしまうという問題点がある。特に、高速印字を行う場合等、配送伝票２０１が高速で移送される場合は引張力が大きくなり、ミシン目２０３が破断しやすくなってしまう。また、上述したように配送伝票２０１を移送ローラによって移送する場合は、配送伝票２０１のフレキシビリティ性が要求されるが、フレキシビリティ性を確保するために配送伝票２０１の厚さを薄くした場合においても、ミシン目２０３が破断しやすくなってしまう。
【００１１】
上述した配送伝票２０１のように、ミシン目２０３等の分離カット部が予め設けられており、後に印刷が施されるプリント用分離シートにおいては、印刷が施される際に分離カット部が上述したように破断しないように、印刷を行うプリンタ等をわざわざ調整または選択しなくてはならないという不都合が生じてしまう。
【００１２】
本発明は、上述したような従来の技術が有する問題点に鑑みてなされたものであって、分離線を介して複数の領域に分離可能に構成され、表面に印刷が施されるプリント用分離シートにおいて、分離線と直交する方向に引張力が加わった場合にその引張力によって分離してしまう可能性を低減することができるプリント用分離シートを提供することを目的とする。
【課題を解決するための手段】
【００１３】
上記目的を達成するために本発明は、
所定方向に引張力が加わり、少なくとも前記所定方向と直交する方向に延長する分離線が設けられて該分離線を用いて分離可能に構成され、表面に印刷が施されるプリント用分離シートであって、
前記所定方向と直交する方向に設けられた分離線上にて互いに隣接して設けられた複数の切り込みを有し、該複数の切り込みはそれぞれ、少なくとも１つの辺が当該分離線とは平行とならない方向に延長した複数の辺から構成されている。
【００１４】
上記のように構成された本発明においては、分離線上にて互いに隣接して設けられた複数の切り込みが裂けて互いに繋がることにより複数の領域に分離されることになるが、分離線と直交する方向に引張力が加わった場合は、複数の切り込みを構成する辺のうち、分離線とは平行とならない方向に延長した辺によって、切り込みが裂ける方向に加わる力が分散し、プリント用分離シートが分離線を介して分離しにくくなる。
【００１５】
また、所定方向に引張力が加わり、前記所定方向と直交する方向に延長する第１の分離線と、前記所定方向に延長する第２の分離線とによって分離可能となる分離領域が区画形成され、表面に印刷が施されるプリント用分離シートであって、
前記第１の分離線上にて互いに隣接して設けられた複数の切り込みを有し、該複数の切り込みはそれぞれ、少なくとも１つの辺が前記第１の分離線とは平行とならない方向に延長した複数の辺から構成されていてもよい。
【００１６】
また、前記複数の切り込みがそれぞれ、前記第１の分離線とは平行とならない辺が、前記分離領域側に延長している構成とすることも考えられる。このような構成とした場合、分離領域が切り込みによって他の領域から分離された状態では、分離領域の端部に分離による微細な凸部が生じることがなく、それにより、その後、分離領域に印刷あるいは記入された情報を読み取る等といった作業を行うために分離領域が機械処理にかけられた場合にジャム等が生じることがない。
【００１７】
また、分離線によって他の領域から分離可能となる分離領域が区画形成された第１のシートと、前記第１のシートに積層され、前記分離領域以外の領域にて前記第１のシートと貼着された第２のシートとを有し、表面に印刷が施され、所定方向に引張力が加わるプリント用分離シートであって、
前記分離線は、前記所定方向と直交する方向に延長する成分を有し、該成分上にて互いに隣接して設けられた複数の切り込みを有し、該複数の切り込みはそれぞれ、少なくとも１つの辺が前記成分とは平行とならない方向に延長した複数の辺から構成されていてもよい。このように、分離線によって他の領域から分離可能となる分離領域が区画形成された第１のシートと、第１のシートに積層され、分離領域以外の領域にて第１のシートと貼着された第２のシートとを有し、第１のシートのうち分離領域のみが第２のシートから分離される構成としたものにおいては、第２のシートが内側となって移送ローラに巻きつけられて移送される際、分離線が、移送方向と直交する方向に延長する成分を有するものであると、第１及び第２のシートと移送ローラ表面との間の距離の差により、第１のシートに区画形成された分離領域がその成分に形成された切り込みによって分離しやすくなる。そこで、分離線を形成する切り込みを、少なくとも１つの辺がその成分とは平行とならない方向に延長した複数の辺から構成されたものとすれば、第２のシートが内側となって移送ローラに巻きつけられて移送される際、第１及び第２のシートと移送ローラ表面との間の距離の差により分離線が移送方向に引っ張られる力が、分離線とは平行とならない方向に延長した辺によって分散し、分離領域が分離線を介して分離しにくくなる。
【発明の効果】
【００１８】
以上説明したように本発明においては、引張力が加わる方向と直交する方向に延長する分離線上にて互いに隣接して設けられた複数の切り込みがそれぞれ、少なくとも１つの辺が分離線とは平行とならない方向に延長した複数の辺から構成されているため、分離線と直交する方向に引張力が加わった場合、複数の切り込みを構成する辺のうち、分離線とは平行とならない方向に延長した辺によって、切り込みが裂ける方向に加わる力が分散し、それにより、引張力によって分離してしまう可能性を低減することができる。
【発明を実施するための最良の形態】
【００１９】
以下に、本発明の実施の形態について図面を参照して説明する。
【００２０】
（第１の実施の形態）
図１は、本発明のプリント用分離シートの第１の実施の形態を示す図であり、（ａ）は全体の構成を示す図、（ｂ）は（ａ）に示した切り込み３の詳細な構成を示す図である。
【００２１】
本形態は図１（ａ）に示すように、２つの紙片２が分離線４にて分離可能に連接して構成されており、分離線４には、分離線４上に互いに隣接するように複数の切り込み３が形成されている。この切り込み３は図１（ｂ）に示すように、辺部３ａ，３ｂの２辺からなるくの字状であって、２辺のうち一方の辺部３ａが分離線４と平行となり、他方の辺部３ｂが分離線４に対して斜めの方向に延長している。
【００２２】
このように構成されたプリント用分離シート１は、表面に紙片２毎に任意の情報を印刷する等の加工を施すために、紙片２の連接方向、すなわち分離線４と直交する方向に移送されていく。
【００２３】
以下に、上述したプリント用分離シート１の移送時における作用について説明する。
【００２４】
図２は、図１に示したプリント用分離シート１の移送時の作用を説明するための図である。
【００２５】
図２に示すように、図１に示したプリント用分離シート１が、紙片２の連接方向、すなわち分離線４と直交する方向に移送されていくと、その移送によって分離線４と直交する方向に引張力が加わる。この引張力は切り込み３にも作用し、切り込み３のうち分離線４と平行となる辺部３ａが広がるように幅方向に引っ張られる。また、切り込み３のうち分離線４に対して斜めの方向に延長した辺部３ｂにおいては、その延長方向が引張力が加わる方向に対して斜めになっているため、広がるように幅方向に引っ張られる力と延長方向に引っ張られる力とに分散する。そのため、分離線４と直交する方向に引張力が加わった場合、切り込み３に作用した力によって辺部３ａが裂けようとするものの、辺部３ｂの力の分散によって切り込み３全体として裂けにくくなる。
【００２６】
このように移送されながらその表面に紙片２毎に任意の情報が印刷される等の加工が施されたプリント用分離シート１は、その後、切り込み３を用いて分離線４にて破断され、２つの紙片２として利用されることになる。
【００２７】
図３は、図１に示したプリント用分離シート１を分離線４にて破断する際の状態を示す図である。
【００２８】
図１に示したプリント用分離シート１を分離線４にて破断する場合は、図３に示すように、プリント用分離シート１の幅方向における辺部３ｂ側の端部から、他方の端部に向かって、分離線４を介して辺部３ｂの延長側となる領域を引っ張っていく。すると、辺部３ｂ及び辺部３ａによってプリント用分離シート１が分離し、引張力が切り込み３の辺部３ａ側の端部に達する。そして、分離線４を介して辺部３ｂの延長側となる領域をさらに引っ張っていくと、その領域の引張力は辺部３ｂの延長側に向かうため、辺部３ａの端部から辺部３ｂの延長側にプリント用分離シート１が破断していく。すると、この破断方向には隣接する切り込み３の辺部３ｂが存在するため、破断部分がその辺部３ｂとつながり、再び辺部３ｂ及び辺部３ａによってプリント用分離シート１が分離していく。
【００２９】
このようにして、分離線４を介して辺部３ｂの延長側となる領域を引っ張っていくと、複数の切り込み３間が順次破断して複数の切り込み３が繋がり、それにより、プリント用分離シート１が分離線４を介して２つの紙片２に分離されることになる。
【００３０】
（第２の実施の形態）
図４は、本発明のプリント用分離シートの第２の実施の形態を示す図であり、（ａ）は表面図、（ｂ）は（ａ）に示したＡ−Ａ’断面図、（ｃ）は（ａ）に示した裏面シート１２０の構成を示す図、（ｄ）は（ａ）に示した切り込み１１２及びミシン目１１３の詳細な構成を示す図である。
【００３１】
本形態は図４に示すように、第１のシートである表面シート１１０と、第２のシートである裏面シート１２０とが、裏面シート１２０の一部に塗布された粘着剤１３０によって貼着されて構成されている。
【００３２】
表面シート１１０は、分離線１１２ｃ，１１３ｃによって他の領域から分離可能な分離領域となる配達票１１１が区画形成され、配達票１１１には、配送情報を印刷するための配送情報印刷領域１１４ｂと配送物の受領印を押下するための押印領域１１５とが設けられている。分離線１１２ｃ，１１３ｃを介して他方の領域は、配送情報を印刷するための配送情報印刷領域１１４ａが設けられ、配送物に貼付される貼付票１１６と、情報が掲載された情報掲載領域１１７とから構成され、これらはスリット１１８によって分離可能に構成されている。
【００３３】
配達票１１１を貼付票１１６から分離可能とする分離線１１２ｃには、分離線１１２ｃ上に互いに隣接するように複数の切り込み１１２が形成されている。この切り込み１１２は図４（ｄ）に示すように、辺部１１２ａ，１１２ｂの２辺からなるくの字状であって、２辺のうち一方の辺部１１２ａが分離線１１２ｃと平行となり、他方の辺部１１２ｂが分離線１１２ｃに対して配達票１１１側に斜めの方向に延長している。また、配達票１１１の左右について、配達票１１１の中心部に対して点対称となるような形状となっている。
【００３４】
また、分離線１１３ｃには、分離線１１３ｃと平行なカット部１１３ａとタイ部１１３ｂとからなるミシン目１１３が形成されている。また、配達票１１１の角部の１つには切り込み１１９が形成されており、配達票１１１を貼付票１１６から分離する際にこの切り込み１１９から配達票１１１を分離していくことになる。
【００３５】
裏面シート１２０は、表面シート１１０に積層された場合に貼付票１１６と対向する面の全面にシリコン（不図示）が塗布され、さらにその上に、配達票１１１に対向しない領域の全面に粘着剤１３０が塗布されており、それにより、貼付票１１６は裏面シート１２０に剥離可能に貼着された状態となっている。
【００３６】
このように構成された配送伝票シート１０１は、配送情報印刷領域１１４ａ，１１４ｂに配送情報を印刷する必要がある。本形態においては、配送伝票シート１０１が、プリンタにおいて移送ローラによって分離線１１２ｃと直交する方向に移送されながら配送情報印刷領域１１４ａ，１１４ｂに配送情報が印刷されるものとする。
【００３７】
以下に、上述した配送伝票シート１０１の移送時における作用について説明する。
【００３８】
図５は、図４に示した配送伝票シート１０１の移送時の作用を説明するための図であり、（ａ）は配送伝票シート１０１が移送ローラによって移送される状態を示す図、（ｂ）は移送方向に引張力が加わった際の切り込み１１２の状態を示す図である。
【００３９】
図４に示した配送伝票シート１０１の配送情報印刷領域１１４ａ，１１４ｂに配送情報を印刷するために、配送伝票シート１０１をプリンタにセットすると、図５（ａ）に示すように、配送伝票シート１０１が、裏面シート１２０が内側となるように移送ローラ１４０に巻きつけられ、切り込み１１２が形成された分離線１１２ｃと直交する方向に移送ローラ１４０が回転して移送されていく。すると、移送ローラ１４０による移送によって配送伝票シート１０１の移送方向に引張力が加わるとともに、表面シート１１０及び裏面シート１２０と移送ローラ１４０の表面との間の距離の差により、表面シート１１０の分離線１１２ｃに形成された切り込み１１２のうち分離線１１２ｃと平行となる辺部１１２ａが広がるように幅方向に引っ張られ、分離線１１２ｃが断裁されやすくなる。ところが、この引張力は切り込み１１２のうち分離線１１２ｃに対して斜めの方向に延長した辺部１１２ｂにも作用する。この辺部１１２ｂは、その延長方向が引張力が加わる方向に対して斜めになっているため、図５（ｂ）に示すように、広がるように幅方向に引っ張られる力と延長方向に引っ張られる力とに分散する。そのため、切り込み１１２に作用した力によって辺部１１２ａが裂けようとするものの、辺部１１２ｂの力の分散によって切り込み１１２全体として裂けにくくなる。
【００４０】
このように、複数枚のシートが積層され、さらにこれらのシートが粘着剤によって互いに貼着されている部分と貼着されていない部分とを有し、この境界にて分離可能なプリント用分離シートにおいては、本形態のような形状の切り込み１１２を設けることにより、移送時に断裁されず、使用時に断裁しやすいという作用がより有効に働くことになる。
【００４１】
上述したように配送伝票シート１０１が移送されながら、配送情報印刷領域１１４ａ，１１４ｂに配送情報が印刷され、その後、分離線１１２ｃ，１１３ｃを介して配達票１１１が連接した貼付票１１６が、情報掲載領域１１７からスリット１１８によって分離されるとともに裏面シート１２０から剥離され、配送物に貼付されて利用されることになる。なお、この際、裏面シート１２０の貼付票１１６と対向する領域には粘着剤１３０が塗布されているものの、裏面シート１２０と粘着剤１３０との間にシリコンが塗布されているため、貼付票１１６は裏面シート１２０から剥離することができ、この粘着剤１３０が貼付票１１６の裏面に付着した状態となり、この粘着剤１３０によって貼付票１１６が配送物に貼付されることになる。また、裏面シート１２０の配達票１１１と対向する領域には粘着剤１３０が塗布されていないため、配達票１１１を裏面シート１２０から分離することができる。
【００４２】
分離線１１２ｃ，１１３ｃを介して配達票１１１が連接した貼付票１１６が貼付された配送物が配送先に配送されると、配達票１１１に設けられた押印領域１１５に受領印が押下され、その後、配達票１１１が切り込み１１２及びミシン目１１３によって貼付票１１６から分離されることになる。なお、上述したように配達票１１１には粘着剤１３０が付着していないため、配送物から分離することができる。
【００４３】
図６は、図４に示した配送伝票シート１０１の貼付票１１６から配達票１１１を分離した状態を示す図であり、（ａ）は切り込み１１２における破断状態を示す図、（ｂ）は貼付票１１６から分離された配達票１１１の状態を示す図である。
【００４４】
配送物に貼付された貼付票１１６から配達票１１１を分離する場合は、図６（ａ）に示すように、配達票１１１の角部の１つに形成された切り込み１１９から配達票１１１を摘み、配送物から離れる方向に引っ張っていく。すると、分離線１１３ｃにおいては、カット部１１３ａ及びタイ部１１３ｂからなるミシン目１１３が破断していく。一方、分離線１１２ｃにおいては、辺部１１２ｂ及び辺部１１２ａによって配達票１１１が貼付票１１６から分離し、引張力が切り込み１１２の辺部１１２ａ側の端部に達する。そして、配達票１１１を配送物から離れる方向にさらに引っ張っていくと、その領域の引張力は辺部１１２ｂの延長側に向かうため、辺部１１２ａの端部から辺部１１２ｂの延長側に表面シート１１０が破断していく。すると、この破断方向には隣接する切り込み１１２の辺部１１２ｂが存在するため、破断部分がその辺部１１２ｂとつながり、再び辺部１１２ｂ及び辺部１１２ａによって配達票１１１が貼付票１１６から分離していく。
【００４５】
このようにして、配達票１１１を配送物から離れる方向に引っ張っていくと、複数の切り込み１１２間が順次破断して複数の切り込み１１２が繋がるとともにミシン目１１３が破断し、それにより、配達票１１１が分離線１１２ｃ，１１３ｃを介して貼付票１１６から分離されることになる。
【００４６】
貼付票１１６から分離された配達票１１１は、その後、配送情報印刷領域１１４ｂに印刷された情報を読み取るために機械処理にかけられることになる。ここで、分離線１１２ｃに形成された切り込み１１２の２つの辺のうち、分離線１１２ｃと平行とならない辺部１１２ｂが分離線１１２ｃに対して配達票１１１側に斜めの方向に延長しているため、配達票１１１が貼付票１１６から分離された状態においては、配達票１１１の分離線１１２ｃの領域に分離による微細な凸部が生じることがない。そのため、この配達票１１１が機械処理にかけられた場合にジャム等が生じることを防ぐことができる。なお、本形態においては、切り込み１１２の形状が、配達票１１１の左右について、配達票１１１の中心部に対して点対称となるような形状となることにより、分離線１１２ｃと平行とならない辺部１１２ｂが分離線１１２ｃに対して配達票１１１側に斜めの方向に延長しているが、切り込み１１２の形状を、配達票１１１の左右について、配達票１１１の中心線に対して線対称となるような形状とすることにより、分離線１１２ｃと平行とならない辺部１１２ｂが分離線１１２ｃに対して配達票１１１側に斜めの方向に延長するような構成とすることも考えられる。
【００４７】
また、本形態においては、表面シート１１０と裏面シート１２０とが、裏面シート１２０の一部に塗布された粘着剤１３０によって貼着されて構成されているが、分離線１１２ｃに切り込み１１２が形成され、分離線１１３ｃにミシン目１１３が形成された構成であれば、表面シート１１０のみの構成としてもよい。
【００４８】
また、上述した２つの実施の形態においては、切り込み３，１１２を構成する２辺のうち一方の辺部３ａ，１１２ａが、分離線４，１１２ｃと平行となっているが、分離線４，１１２ｃに沿って分離可能な構成であれば、切り込み３，１１２を構成する２辺が分離線と平行でないものであってもよい。また、その形状は上述したようにくの字に限らない。また、開口領域に対して広がるような３つの辺からなるコの字型のものであってもよい。
【００４９】
また、分離線を介してプリント用分離シートが分離する数も、上述した２つの実施の形態に示したもののように２つに限らない。
【図面の簡単な説明】
【００５０】
【図１】本発明のプリント用分離シートの第１の実施の形態を示す図であり、（ａ）は全体の構成を示す図、（ｂ）は（ａ）に示した切り込みの詳細な構成を示す図である。
【図２】図１に示したプリント用分離シートの移送時の作用を説明するための図である。
【図３】図１に示したプリント用分離シートを分離線にて破断する際の状態を示す図である。
【図４】本発明のプリント用分離シートの第２の実施の形態を示す図であり、（ａ）は表面図、（ｂ）は（ａ）に示したＡ−Ａ’断面図、（ｃ）は（ａ）に示した裏面シートの構成を示す図、（ｄ）は（ａ）に示した切り込み及びミシン目の詳細な構成を示す図である。
【図５】図４に示した配送伝票シートの移送時の作用を説明するための図であり、（ａ）は配送伝票シートが移送ローラによって移送される状態を示す図、（ｂ）は移送方向に引張力が加わった際の切り込みの状態を示す図である。
【図６】図４に示した配送伝票シートの貼付票から配達票を分離した状態を示す図であり、（ａ）は切り込みにおける破断状態を示す図、（ｂ）は貼付票から分離された配達票１１１の状態を示す図である。
【図７】一般的な配送伝票の構成例を示す図である。
【図８】図７に示した配送伝票がミシン目と直交する方向に移送された際のミシン目の状態を説明するための図であり、（ａ）は移送による引張力が加わっていない場合のミシン目の状態を示す図、（ｂ）は移送による引張力が加わった場合のミシン目の状態を示す図である。
【符号の説明】
【００５１】
１    プリント用分離シート
２    紙片
３，１１２，１１９    切り込み
３ａ，３ｂ，１１２ａ，１１２ｂ    辺部
４，１１２ｃ，１１３ｃ    分離線
１０１    配送伝票シート
１１０    表面シート
１１１    配達票
１１３    ミシン目
１１３ａ    カット部
１１３ｂ    タイ部
１１４ａ，１１４ｂ    配送情報印刷領域
１１５    押印領域
１１６    貼付票
１１７    情報掲載領域
１１８    スリット
１２０    裏面シート
１３０    粘着剤
１４０    移送ローラ
【図１】
2007083588.tif 000003
【図２】
2007083588.tif 000004
【図３】
2007083588.tif 000005
【図４】
2007083588.tif 000006
【図５】
2007083588.tif 000007
【図６】
2007083588.tif 000008
【図７】
2007083588.tif 000009
【図８】
2007083588.tif 000010